(57)【要約】【課題】装飾部材の小型化や、装飾的な台板の除去をともなわずに球詰まりを解消することが可能な構造を有する遊技機の各部材を提供することを目的とする。【解決手段】パチンコ機１は、遊技盤２０と、内ガイドレール２１ｂと、前方の先端に前飾り４２を設けた一般入賞口３１ｂとを備え、一般入賞口３１ｂの側面のうち、内ガイドレール２１ｂの接触面４０には、突起部４５および傾斜部４６が設けられ、接触面の突起部４５側に当接した遊技球を、遊技盤２０の盤面側へ誘導するよう構成されている。【選択図】図６
2008029600.tif 000002
【特許請求の範囲】
【請求項１】
前面を遊技領域とする遊技盤と、
前記遊技盤の前方を覆う透明部材と、
前記遊技領域を流下する遊技球に対して、所定方向への流下を規制する規制部材と、
を備えた遊技機であって、
前記規制部材の近傍に、前記遊技盤の盤面から前記透明部材方向へ立設する突出部を備え、
前記突出部のうち、前記透明部材側の先端には、前記盤面と略平行に板状の鍔部が設けられ、
前記突出部の側面のうち、前記規制部材側の面には、当該面の前記透明部材側に当接した遊技球を、前記遊技盤の盤面側へ誘導する誘導部が設けられていること、
を特徴とする遊技機。
【請求項２】
前記誘導部は、前記突出部の側面のうち前記規制部材側の面における前記遊技盤の盤面側は、当該面の前記透明部材側よりも、前記盤面に対して直交する前記突出部の中心線からの間隔が狭くなるように形成されていること、
を特徴とする請求項１に記載の遊技機。
【請求項３】
前記誘導部は、前記突出部の側面のうち前記規制部材側の面における前記遊技盤の盤面側は、当該面の前記透明部材側よりも、前記規制部材からの間隔が広くなるように形成されていること、
を特徴とする請求項１に記載の遊技機。
【請求項４】
前記突出部の側面のうち前記規制部材側の面には、前記透明部材の方向かつ前記中心線から離れた方向へ傾斜する段差部を設けたこと
を特徴とする請求項２に記載の遊技機。
【請求項５】
前記突出部における前記遊技盤の盤面側の基部の周囲には、前記遊技盤に取り付けられる台板が設けられていること、
を特徴とする請求項１〜４のいずれかに記載の遊技機。
【請求項６】
前記突出部はその側面に、略上方に開口する開口部を備えて遊技球を受け入れ可能とする入賞装置であること、
を特徴とする請求項１〜５のいずれかに記載の遊技機。
【請求項７】
前記突出部は、前記遊技盤の前記遊技領域の略中央に配置されるセンター役物であること、
を特徴とする請求項１〜５のいずれかに記載の遊技機
【請求項８】
前記規制部材は、前記遊技盤において前記遊技領域を画成するレール部材であること
を特徴とする請求項１〜７のいずれかに記載の遊技機。
【請求項９】
前記レール部材は、樹脂からなること
を特徴とする請求項８に記載の遊技機。
【請求項１０】
前面を遊技領域とする遊技盤と、
前記遊技盤の前方を覆う透明部材と、
前記遊技領域を流下する遊技球に対して、所定方向への流下を規制する規制部材と、
を備えた遊技機であって
前記規制部材の近傍に、前記遊技盤の盤面から前記透明部材方向へ立設する突出部を備え、
前記突出部のうち、前記透明部材側の先端には、前記盤面と略水平方向に鍔部が設けられ、
前記突出部の側面のうち前記規制部材側の面における前記遊技盤の盤面側は、当該面の前記透明部材側よりも、前記盤面に対して直交する前記突出部の中心線からの間隔が狭くなるように形成されていること、
を特徴とする遊技機。
【請求項１１】
前面を遊技領域とする遊技盤と、
前記遊技盤の前方を覆う透明部材と、
前記遊技領域を流下する遊技球に対して、所定方向への流下を規制する規制部材と、
を備えた遊技機であって
前記規制部材の近傍に、前記遊技盤の盤面から前記透明部材方向へ立設する突出部を備え、
前記突出部のうち、前記透明部材側の先端には、前記盤面と略水平方向に鍔部が設けられ、
前記突出部の側面のうち前記規制部材側の面における前記遊技盤の盤面側は、当該面の前記透明部材側よりも、前記規制部材からの間隔が広くなるように形成されていること、
を特徴とする遊技機。
【発明の詳細な説明】
【技術分野】
【０００１】
本発明は、入賞装置を有する遊技機に関する。
【背景技術】
【０００２】
従来から遊技球を使用した遊技機では、遊技盤の遊技領域に様々な装置や部材が配置されている。例えば、遊技盤の盤面に遊技領域を画成するレール部材や、遊技領域に打ち出された遊技球の流下方向を変位させる遊技釘および風車や、表示装置や装飾部材が配設されたセンター役物などが配置され、さらに、遊技者の興趣を高めるために、図柄変動ゲーム等を表示する表示装置や、開口部が設けられ遊技球を入賞させる一般入賞口・始動入賞口（スタートチャッカー）・大入賞口（アタッカー）等の各入賞口・各入賞装置や、遊技者の興趣を高めるための演出装置・装飾部材などが配置されている。
【０００３】
これらの遊技機における各装置や各部材のうち、遊技領域に配置されるものについては特に遊技者の興趣を高めるような改良がされており、例えば表示装置やセンター役物は大型化し、表示装置における図柄変動ゲームの表示も多様化している。
【０００４】
また、遊技盤の盤面から前面ガラス（透明部材）方向に向かって突出する入賞装置等の各部材は、遊技領域における様々な領域に配置されるようになっており、例えば、遊技盤面に遊技領域を画成するレール部材の近傍や、センター役物などの役物の近傍、またはその他遊技球の流下方向を規制する規制部材の近傍に配置されることもある。
【０００５】
また、遊技盤の盤面から当該盤面を覆う前面ガラス方向へ立設する入賞装置等の各部材には、その先端に、図柄変動ゲームに表示されるキャラクターなどと一体性のある装飾部材、いわゆる前飾りなどが設けられるようになってきている。例えばこの装飾部材は、装飾としての効果を高めるために、入賞装置等の各部材より径が大きくなっているものもあり、また、このような装飾部材は、前面ガラス方向に立設する入賞装置の先端に位置し、その形状は入賞装置に対して、鍔状になっているものがある。
【０００６】
また、立設している入賞装置等の各部材の基部（最も遊技盤の盤面に近い部分）の周囲には、入賞装置を遊技盤に取り付けるため、または遊技盤面の装飾のために、入賞装置の基部に隣接して台板を設けることもある。この台板は、内部にＬＥＤ（Ｌｉｇｈｔ  Ｅｍｉｔｔｉｎｇ  Ｄｉｏｄｅ；発光ダイオード）を設けて発光させるようになっており、近年大型化してきている。
【０００７】
また、このような遊技領域における各種入賞装置や、装飾部材、その他の各部材などの側面に突起物を設け、遊技領域を流下する遊技球が当該突起物に衝突することにより、流下方向を変化させることが可能な遊技機が提案されている（例えば、特許文献１）。このような遊技機によれば、遊技領域に形成された遊技釘や風車等によらなくても、各種入賞装置における当該突起物により、遊技球の流下方向を遊技盤の盤面と水平方向に変化させることができるので、遊技球を遊技者の予測しない方向へ流下させることができ、遊技者の興趣を高めることが可能となる。
【０００８】
また、打ち出された遊技球を遊技領域に誘導し、遊技盤の盤面に遊技領域を画成するレール部材については、従来金属製のものが用いられていたが、近年、樹脂を用いたレール部材が用いられるようになってきている。樹脂製のレール部材によると、遊技機におけるレール部材の成形工程が簡略化し、レール部材を遊技機に取り付ける組立工程が簡便となり、さらに金属製のレール部材と比較してたわみが少なくなるという利点がある。
【０００９】
【特許文献１】特開２００１−３１４５７１号公報
【発明の開示】
【発明が解決しようとする課題】
【００１０】
前述のように、入賞装置等の各部材における前飾りなどの装飾部材は、遊技盤の盤面から前記前面ガラス方向へ立設する入賞装置等の各部材の先端に設けられており、その位置は、遊技盤の盤面と前面ガラスの間であって、前面ガラスに近接している。また、入賞装置等の各部材における基部の周囲には、装飾部材を有する台板が遊技盤の盤面に取り付けられるようになっている。
【００１１】
したがって、鍔状の前飾りと、基部の周囲に配置される台板は、入賞装置における前面ガラスと遊技盤の盤面との間に位置して設けられるので、その間を流下する遊技球の流通経路は狭小となってしまう。
【００１２】
また、遊技球は、打ち出され、レール部材を通過して遊技盤面における遊技領域を流下し、様々な障害物に抵触または衝突するものであるから、遊技球の流下経路は不規則なものとなる。したがって、打ちだされた２個以上の遊技球がほぼ同時に遊技領域の特定の部分を通過することも考えられる。
【００１３】
例えば、入賞装置近傍の狭小な遊技球の流下経路に対して、入賞装置の先端に備えられた鍔状の前飾りと、入賞装置の基部の周囲にある台板の間を２個以上の遊技球がほぼ同時に通過することも考えられる。このような状況下において、これらの遊技球は流下することなく前飾りと台板との狭小な領域で、前飾り、台板、入賞装置の側面およびその他の部材等に当接し、さらにこれらの遊技球が相互に当接して、球詰まりを起こしてしまうおそれがある。
【００１４】
特に、遊技領域を形成するために遊技盤の盤面に設けられたレール部材が、入賞装置の近傍に設置されている場合は、前飾り、台板および、入賞装置の側面とともに遊技球の流下経路を著しく狭小にしてしまい、流下方向を失った遊技球は相互に当接して球詰まりを起こしやすくなってしまう。
【００１５】
これは規格として遊技球の直径が統一されており、また、遊技盤面から遊技盤を覆う前面ガラスまでの距離が一定となっていることにも起因する。
【００１６】
また、前述のように従来の金属製のレール部材ではなく、近年樹脂を用いたレール部材が用いられるようになってきている。金属性レールであれば、２個以上の遊技球が、レール部材、入賞装置側面、台板および前飾り等の近傍を同時に通過して、球詰まりが生じうる状況があったとしても、当該レール部材がたわんで球詰まりを解消することが可能であった。しかし、近年の樹脂製のレール部材は、金属製のレール部材と比較してたわみが少ないので、レール部材自体のたわみによって球詰まりを解消させる可能性は低くなってきている。
【００１７】
この点、特許文献１に記載の遊技機は、当該遊技機における各種入賞装置や、装飾部材等の側面に設けた突起物によって遊技球の流下方向を遊技盤の盤面と平行する方向に変化させることが可能である。しかしながら、ほぼ同時に流下してきた２個以上の遊技球が、レール部材、入賞装置側面、台板および前飾り等の近傍を通過しようとして、遊技盤の盤面と略直交する方向に並んでしまった場合、例えば、入賞装置近傍をほぼ同時に通過する２個以上の遊技球の一方が前面ガラス方向に、他方が遊技盤面方向に流下してしまった場合、球詰まりが生じうる状況となり、特許文献１における各種入賞装置に設けた突起物によっては、球詰まりを解消することが困難である。
【００１８】
以上に述べた遊技球の球詰まりは、入賞装置や装飾部材の小型化や、台板の除去によって解消されうるが、そのような方法で球詰まりが起こる事態を解消しようとした場合、その遊技機は視覚的に単純化し、その遊技機によって遊技を行う遊技者の興趣を誘うことが困難になる。さらに、台板を除去した場合は、入賞装置を設置するために台板以外の他の手段によらなければならず、その場合、入賞装置の設置機構が複雑になってしまうおそれがある。
【００１９】
そこで本発明は、上記の問題に鑑みてなされたものであり、装飾部材の小型化や、装飾的な台板の除去をともなわずに球詰まりを解消することが可能な構造を有する遊技機を提供することを目的とする。
【課題を解決するための手段】
【００２０】
上述の課題を解決するために請求項１に記載の発明は、前面を遊技領域とする遊技盤と、前記遊技盤の前方を覆う透明部材と、前記遊技領域を流下する遊技球に対して、所定方向への流下を規制する規制部材と、を備えた遊技機であって、前記規制部材の近傍に、前記遊技盤の盤面から前記透明部材方向へ立設する突出部を備え、前記突出部のうち、前記透明部材側の先端には、前記盤面と略平行に板状の鍔部が設けられ、前記突出部の側面のうち、前記規制部材側の面には、当該面の前記透明部材側に当接した遊技球を、前記遊技盤の盤面側へ誘導する誘導部が設けられていることを特徴とする。
【００２１】
請求項２の発明は、請求項１に記載の遊技機であって、前記誘導部は、前記突出部の側面のうち前記規制部材側の面における前記遊技盤の盤面側は、当該面の前記透明部材側よりも、前記盤面に対して直交する前記突出部の中心線からの間隔が狭くなるように形成されていることを特徴とする。
【００２２】
請求項３の発明は、請求項１に記載の遊技機であって、前記誘導部は、前記突出部の側面のうち前記規制部材側の面における前記遊技盤の盤面側は、当該面の前記透明部材側よりも、前記規制部材からの間隔が広くなるように形成されていることを特徴とする。
【発明の効果】
【００２３】
本発明に係る請求項１に記載の遊技機において、遊技領域のうち、規制部材近傍に形成された突出部は、その側面のうち規制部材側の面における遊技盤の盤面側に、当該面の透明部材側に当接した遊技球を、前記遊技盤の盤面側へ誘導する誘導部を備えている。
【００２４】
したがって、ほぼ同時に流下してきた２個以上の遊技球が、規制部材、遊技領域における突出部の側面、鍔部等の近傍を通過しようとして、遊技盤の盤面と略直交する方向に並んでしまった場合の球詰まりが生じうる状況に対して、突出部の側面における規制部材側に誘導部を形成し、透明部材側に当接している遊技球を、遊技盤の盤面方向へ誘導するので、球詰まりを起こしうる状況にある遊技球を転動させて球詰まりを解消することができる。結果として、装飾部材の小型化や、入賞装置の設置に必要な台板の除去をともなわずに球詰まりが生じる事態を解消することが可能となる。
【００２５】
本発明に係る請求項２に記載の遊技機において、遊技領域のうち、規制部材近傍に形成された突出部は、その側面のうち規制部材側の面における遊技盤の盤面側について、当該側面の透明部材側よりも、当該突出部の中心線からの間隔が狭くなるように構成されている。
【００２６】
これにより、前述の球詰まりが生じうる状況に対して、遊技盤の盤面から立設した突出部の側面における遊技盤の盤面側は、当該突出部の中心線からの間隔がより狭くなるように形成されているので、遊技盤の盤面と略直交する方向に並んでしまった遊技球の一方を、遊技盤の盤面方向かつ突出部の中心線の方向に転動させ、当該遊技盤の盤面と略直交する方向に並んでしまった２個以上の遊技球の支点を失わせて流下させることができる。結果として、装飾部材の小型化や、入賞装置の設置に必要な台板の除去をともなわずに球詰まりが生じる事態を解消することが可能となる。
【００２７】
本発明に係る請求項３に記載の遊技機において、遊技領域のうち、規制部材近傍に形成された突出部は、その側面のうち規制部材側の面における遊技盤の盤面側について、当該側面の透明部材側よりも、規制部材からの間隔が広くなるように構成されている。
【００２８】
これにより、前述の球詰まりが生じうる状況に対して、突出部における側面のうち遊技盤の盤面側は、前記規制部材からの間隔がより広くなるように形成されているので、遊技盤の盤面と略直交する方向に並んでしまった遊技球の一方を、遊技盤の盤面方向かつ突出部の中心線の方向に回動させ、当該遊技盤の盤面と略直交する方向に並んでしまった２個以上の遊技球の支点を失わせて流下させることができる。結果として、装飾部材の小型化や、入賞装置の設置に必要な台板の除去をともなわずに球詰まりが生じる事態を解消することが可能となる。
【発明を実施するための最良の形態】
【００２９】
以下、本発明の実施形態の一例として、本発明をパチンコ遊技機（以下、「パチンコ機」と示す）に適用した実施形態について図１〜図８を参照して説明する。
【００３０】
なお、以下の説明において、「前方」とは、パチンコ機において遊技盤の盤面のうち、遊技釘等が形成される側の面と、当該面を覆うガラス部材の面（以下、「ガラス面」という）が対向するよう配置された場合に、遊技盤の盤面と直交する方向かつ、遊技盤の盤面からガラス面に向かった方向をいう。「後方」とは当該「前方」と対向する方向である。同様に、「前面」とは「前方」側の面をいい、「後面」とは、「後方」側の面をいう。また、「上」、「下」、「左」、「右」とは、パチンコ機１に対して「前方」に遊技者がいる場合の、当該遊技者から見た「上」、「下」、「左」、「右」をいう。
【００３１】
［全体構成］
図１は、本発明の実施形態にかかるパチンコ機１の概略正面図である。パチンコ機１は、その背面おいて、縦長方形の外枠１０により、図示しない遊技機設置台（例えば、パチンコ店などの遊技場においてパチンコ機を設置するための台）に取り付けられる。また外枠１０には、前面の左側にヒンジ１１が設けられ、当該ヒンジ１１には、開口部を有し各種の遊技用構成部材がセットされる縦長方形の中枠１２が開閉および着脱自在に組み付けられている。また、中枠１２の前面側には、パチンコ機内部（中枠１２）に配置された遊技盤２０を透視保護するためのガラス部材１９を備えた前枠１３と、遊技者が遊技球を貯留しておくための上球皿１４が共に横開き状態で開閉可能に組み付けられている。このガラス部材１９は、本発明における「透明部材」の一例に該当する。なお、遊技盤を透視保護する部材はガラス部材１９に限定されず、アクリル板であってもよい。
【００３２】
また、前枠１３の周囲前面側および遊技盤２０には、パチンコ機１の各種遊技の状態（図柄変動、大当り状態、リーチ状態など）に応じて点灯（点滅）または消灯して、発光装飾に基づく遊技演出（発光演出）を行う装飾ランプ１５が設けられている。この装飾ランプ１５は、ＬＥＤ（Ｌｉｇｈｔ  Ｅｍｉｔｔｉｎｇ  Ｄｉｏｄｅ）などの発光体を備え、その発光体にレンズ部材を覆い被せて構成されている。また、上球皿１４の左方側または右方側には、遊技の状態に応じて各種音声（効果音）を出力し、音声出力に基づく遊技演出（音声演出）を行うスピーカ１７が設けられている。中枠１２の下部には、下球皿１６および発射装置１８が装着されている。
【００３３】
なお、上球皿１４と下球皿１６とはともに、遊技者が遊技球を貯留しておくためのものであるが、上球皿１４には、図示しない球貸ボタンを押した時に貸し出される遊技球や、賞球（払い出し）された遊技球が貯留され、ここに貯留される遊技球は、発射装置１８から発射される。一方、下球皿１６は、上球皿１４に貯留された遊技球を誘導させて貯留させておくものであり、通常は上球皿１４に遊技球が入りきらないときに下球皿１６に過剰な遊技球を誘導して貯留させる。この下球皿１６には、上球皿１４に遊技球が入りきらない場合に自動的に過剰な遊技球を誘導させるように構成してもよく、下球皿１６にも遊技球が入りきらなくなった場合は遊技球の発射を一時的に止めるように構成してもよい。
【００３４】
［遊技盤の構成］
図２は、本発明の実施形態にかかるパチンコ機１の遊技盤２０の概略正面図である。
図２に示すように、パチンコ機１に設けられる遊技盤２０は、略矩形状に形成されている。
遊技盤２０の盤面前側には、外ガイドレール２１ａ、内ガイドレール２１ｂが立設され、遊技盤２０の盤面には、この外ガイドレール２１ａおよび内ガイドレール２１ｂに囲われた略円形状の遊技領域Ｔが形成される。また、遊技盤２０の左側には、内ガイドレール２１ｂの外側と外ガイドレール２１ａの内側によって形成された遊技球誘導路２２が形成される。この遊技球誘導路２２は、発射装置１８から発射された遊技球を遊技領域Ｔへ誘導する。なお、本実施形態においては、外ガイドレール２１ａ、内ガイドレール２１ｂを樹脂成形する。
【００３５】
遊技領域Ｔには、装飾部材や演出部材などの様々な遊技部材が配設される。例えば、遊技領域Ｔに打ち出された遊技球の流下方向を変動させるためのゲージ構成をなす複数の遊技釘や風車２４などがあり、また、遊技盤２０の略中央から上方には、遊技用部材としてのセンター役物２５が配設されている。センター役物２５には、複数種類の図柄を変動させて図柄組み合わせを表示する図柄変動ゲーム（遊技演出（表示演出））を行う可変表示装置２３が設けられている。また、センター役物２５には、発光することにより遊技演出（発光演出）を行う装飾ランプが設けられている。
【００３６】
遊技盤２０の略中央に位置するセンター役物２５の下方には、図柄変動ゲームの開始および賞球の付与を担う始動入賞装置２７が配設されている。始動入賞装置２７には、アクチュエータ（図示せず）の作動により開閉動作を行う開閉羽根２７ａ・２７ｂが設けられている。この開閉羽根２７ａ・２７ｂは、普通図柄ゲームの当選を契機に開放する。すなわち、可変表示装置２３の左方に配置された通過ゲート２６の内側を遊技球が通過することにより、通過ゲート２６の内側に設けられた遊技球検知センサが遊技球を検知して普通図柄ゲームの抽選が開始され、この普通図柄ゲームに当選すると、始動入賞装置２７の開閉羽根２７ａ・２７ｂが開放する位置に回動する。この普通図柄ゲームの結果は、可変表示装置２３の情報に配置された表示部２６ｂに表示される。また、始動入賞装置２７のさらに下方には、変動入賞装置２８が配設されている。
【００３７】
さらに、遊技盤２０における遊技領域Ｔの最下部には、アウト口２９が配設されている。このアウト口２９は、いずれの入賞装置にも入賞せず、遊技領域Ｔの最下部中央まで流下した遊技球を回収してパチンコ機１の内部へ送出し、機外排出を行うために設けられるものである。
【００３８】
また、遊技盤２０における遊技領域Ｔの左下側にはサイド役物３０が、また右下側にはサイド役物３４が、内ガイドレール２１ｂに隣接して設けられている。この遊技領域Ｔの左下側のサイド役物３０には、遊技用部材の１つとして賞球の付与を担う一般入賞口３１ａ・３１ｂ、サイドランプ３２および台板３３が設けられ、同様に、右下側のサイド役物３４としては、一般入賞口３５ａ・３５ｂ、サイドランプ３６および、台板３７が設けられている。
【００３９】
また、これらの遊技部材は遊技釘のように植設されるものと、センター役物２５のように遊技盤２０にルーター等で取付孔を形成して取り付けるものがあり、センター役物２５、始動入賞装置２７、変動入賞装置２８、および一般入賞口３１ａ・３５ａ等を備えるサイド役物３０・３４は、当該取付孔に取り付けられる。図２に示すように、本実施形態においては、センター役物２５、始動入賞装置２７、変動入賞装置２８、アウト口２９の順に、遊技領域Ｔの略中心を通る略鉛直線上に間隔を開けて配設されている。また、この略鉛直線の左方にはサイド役物３０が、また、右方にはサイド役物３４が設けられるように構成されている。
【００４０】
［各入賞装置の構成］
次に、本実施形態にかかる各入賞装置とその周辺の各部について説明する。
【００４１】
（一般入賞口）
一般入賞口３１ａとその周辺の各部について図２〜図６を用いて説明する。図３は、本実施形態にかかるパチンコ機１の遊技領域Ｔの左下側に設けられたサイド役物３０の斜視図である。また、図４は、本実施形態にかかるパチンコ機１の遊技領域Ｔの左下側に設けられたサイド役物３０の左側面図である。また、図５は、本実施形態にかかるパチンコ機１の遊技領域Ｔの左下側に設けられたサイド役物３０の背面図の概略である。なお、この図３〜５に示すサイド役物３０は、遊技盤２０に取り付けられる前の状態を表すものである。また、一般入賞口３１ａ、３１ｂの内部に配置した一般入賞センサ（図示せず）およびサイドランプ３２を発光させるＬＥＤ３８ａからの配線は省略している。
【００４２】
図３および図４に示すように、サイド役物３０は、一般入賞口３１ａ・３１ｂおよびサイドランプ３２および台板３３を備え、台板３３の後方には、ＬＥＤ基板３８が設けられ、ＬＥＤ基板３８のさらに後方には、ＬＥＤ基板カバー３９が設けられている。また、図２に示すように、本実施形態においてサイド役物３０は、遊技盤２０における遊技領域Ｔの左下方において、台板３３の支持部３３ａを介し、ルーター等により遊技盤２０に形成された取付孔に嵌合して取り付けられる。図２に示すように、この取付孔に取り付けられたサイド役物３０は、遊技盤２０に取り付けられた際に、その下方において内ガイドレール２１ｂと近接する。
【００４３】
台板３３は、その前面に装飾板３３ｂと後面に支持部３３ａとを備え、後方においてＬＥＤ基板３８およびＬＥＤ基板カバー３９を支持部３３ａに固着して備えている。また、台板３３の前面における周縁部は、流下してきた遊技球の球溜まりを防止するため、台板３３の内側かつ前方に傾斜するように形成され、当該周縁部近傍には間隔をおいて通孔３３ｄが備えられている。さらに、台板３３前面に備えられたサイドランプ３２および、一般入賞口３１ａ，３１ｂは、当該前面に固着されている。なお、台板３３は周縁部近傍が内側かつ前方に傾斜しているため、その分、遊技盤２０の前面とガラス部材１９の面との距離と比較すると、遊技盤前方に形成されたガラス部材１９の面との距離が狭くなっている。
【００４４】
サイドランプ３２や装飾板３３ｂには、以下に述べるＬＥＤ３８ａの発光を遊技者に視認可能とするように透光性を有する素材が用いられる。サイドランプ３２や装飾板３３ｂは透光性を有するため、その後方に配置されたＬＥＤ３８ａが発光すると、その発光はサイドランプ３２や装飾板３３ｂを通して前方に透過する。
【００４５】
図３に示すように、台板３３における支持部３３ａは、台板３３の後面から後方に立設する。また図５に示すように、支持部３３ａが立設している位置は、台板３３の後面の周縁より内側（後面の中央側）であるとともに、台板３３の周縁から略等間隔の位置である。この台板３３から立設する支持部３３ａによって画成される形状（ＬＥＤ基板カバー３９の周縁の形状）に合わせた形状となるように、遊技盤２０の遊技領域Ｔにサイド役物３０の取付孔が形成される。また、支持部３３ａは板状に形成され、内部はＬＥＤ３８ａの発光を装飾板３３ｂを通して視認可能とするため空洞となっている。
【００４６】
サイド役物３０が遊技盤２０に取り付けられる際は、遊技盤２０の取付孔と支持部３３ａが嵌合するように設置される。台板３３の支持部３３ａによりサイド役物３０が遊技盤２０に取り付けられると、当該取付孔の周縁における遊技盤２０の前面と、台板３３の後面のうち、台板３３の周縁部から支持部３３ａの基部にわたって形成される当接面３３ｃ（図５）とが当接する。また、遊技盤２０の取付孔と支持部３３ａが嵌合されて配置されると、台板３３の周縁近傍に形成された通孔３３ｄを介して螺子等により遊技盤２０と台板３３とが固着される。
【００４７】
図４に示すように、ＬＥＤ基板３８は、前面においてＬＥＤ３８ａを複数備え、基板支持部３８ｂにより支持部３３ａにおける先端部（台板３３と対向する側）と間隔をおいて固着され、台板３３の後面と対向するように配置されている。また、ＬＥＤ基板３８は、その後面においてＬＥＤ基板カバー３９と固着され、覆われて保護されている。ＬＥＤ３８ａは、ＬＥＤ基板３８に実装され、後述する主制御基板６０や副制御基板７０等により制御されて発光演出を実行する。
【００４８】
また、ＬＥＤ基板３８、台板３３の後面、支持部３３ａ、および装飾板３３ｂに囲われて空間が形成されるが、この空間は、後述する制御による発光演出でＬＥＤ３８ａの発光を外部に視認可能とするためのものである。
【００４９】
ここで図３〜６を用いて、本実施形態の一般入賞口のうち、本発明の実施形態にかかる一般入賞口３１ｂを中心に説明する。
【００５０】
図３および図４に示すように、一般入賞口３１ａ・３１ｂは、遊技盤２０の前面に備えられた台板３３から、ガラス面方向に向かって台板３３の前面に直交するように立設している。図３および図４に示すように一般入賞口３１ａ・３１ｂは、その側面において遊技球を取り込み可能とする開口部（図示せず）や、流下してきた遊技球と接触しうる接触面４０を備えている。また、ガラス面近傍の先端において装飾的に取り付けられる前飾り５２・４２を備える。なお、本実施形態においては、台板３３と一般入賞口３１ａ・３１ｂとが、台板３３の後面から螺子等により一体となるように固定される。ただし、台板３３と一般入賞口３１ａ・３１ｂ等は一体に成形して形成してもよい。この一般入賞口３１ａ・３１ｂ等は、本発明における「突出部」の一例に該当する。
【００５１】
一般入賞口３１ａ・３１ｂにおける開口部は、サイド役物３０が遊技盤２０に設置された状態（図２参照）においては、一般入賞口３１ａ・３１ｂの側面のうち斜め上方側の面に開口して形成されている。また、この開口部の幅は、遊技球を少なくとも１個通過可能な大きさを有するように形成される。また、当該開口部の形状は、略正方形に形成することが考えられる。
【００５２】
これ一般入賞口３１ａ・３１ｂにおける開口部から入賞した遊技球は、当該開口部の下方から後方に向かって形成されたに遊技球通過経路（図示せず）を通って回収される。この回収された遊技球は、遊技球通過経路のさらに後方に配置された遊技球検出センサ（図示せず）によって検出される。このようにして遊技球検出センサが検遊技球を検出すると、入賞状態となり、１回（１個）の入賞につき、例えば、賞球として１０個の遊技球が上球皿１４に払い出される。
【００５３】
図３および図４に示すように、一般入賞口３１ａにおける前飾り５２および一般入賞口３１ｂにおける前飾り４２は、台板３３から前方に立設した一般入賞口３１ａ・３１ｂのガラス面近傍の先端において取り付けられる。この前飾り４２・５２は、一般入賞口３１ａにおける筒体５３および一般入賞口３１ｂにおける筒体４３の径より大きな径を有するものであり、筒体４３・５３に対して鍔状に形成される。なお、これら前飾り４２・５２は、装飾的に取り付けられており、例えば、形状、色彩や素材においてパチンコ機１のイメージに沿うように構成され、当該イメージに沿った装飾が施される。また、前飾り５２および４２は、一般入賞口３１ａおよび３１ｂのそれぞれと一体に成形して形成してもよい。
【００５４】
この鍔状の前飾り４２等が設置されることにより、図４に示すように、前飾り４２の後面と台板３３の前面の間隔が他の部分より狭くなる。すなわち、遊技部材が形成されない遊技盤２０の盤面とガラス面との間隔に対して、前飾り４２および台板３３の厚みの分、遊技盤２０の前後方向において間隔が狭くなる。この前飾り４２は、本発明における「鍔部」の一例に該当する。
【００５５】
図４に示す筒体４３は、その内部が空洞になっており、一般入賞口３１ａ・３１ｂの開口部から入賞した遊技球を遊技盤２０後方に回収するための遊技球通過経路の一部をなす。
【００５６】
また、図２に示すようにサイド役物３０は、遊技領域Ｔの左下方に設けられており、サイド役物３０の下方には、サイド役物３０の台板３３と接するように内ガイドレール２１ｂが形成されている。このサイド役物３０の下方の内ガイドレール２１ｂ、前飾り４２、台板３３および次に述べる一般入賞口３１ｂの側面と、内ガイドレール２１ｂの面とによって形成される遊技球の通過領域も、他の遊技球通過領域と比較して狭く形成されることになる。
【００５７】
ここで本発明の実施形態にかかる一般入賞口３１ｂの側面において遊技球と接触しうる接触面４０について図４、図６および図８を用いて説明する。図６（Ａ）は、図４における1点鎖線の内部に示す本発明の実施形態にかかる一般入賞口３１ｂの左側面拡大図である。また、図６（Ｂ）は、本発明の実施形態にかかる一般入賞口から前飾りを除いた状態を示すものであり、図６（Ａ）におけるＢ−Ｂ断面図である。また、図６（Ｃ）は、本発明の実施形態にかかる一般入賞口の側面の状態を示すものであり、図６（Ａ）におけるＡ−Ａ断面図である。
【００５８】
図４は、サイド役物３０を遊技盤２０に配置した際における一般入賞口３１ａおよび３１ｂの左方向かつ、一般入賞口３１ａおよび３１ｂにおける左側面と略直交する方向から見た図であり、本図に示すように、一般入賞口３１ｂの筒体４３の側面は台板３３の前面と直交する方向に立設している。また、当該側面における接触面４０は、筒体４３の基部側と、前飾り４２側とで、筒体４３の中心線からの距離が異なるように形成されている。例えば、図６（Ａ）および図６（Ｃ）に示すように、一般入賞口３１ｂの接触面４０は、筒体４３の中心線Ｃから当該接触面４０までの距離において、筒体４３の基部側より前飾り４２側の方が長くなるように形成される。この中心線Ｃとは、図６（Ｂ）に示す台板３３の前面と平行な筒体４３の断面（Ｂ−Ｂ断面図）の中心点（またはその近傍）から下ろした垂線であって台板３３の前面と直交する線をいい、本発明における「中心線」の一例に該当する。また、接触面４０には、前飾り４２側の面である突起部４５から中心線Ｃ側（筒対４３の内側）に傾斜する傾斜部４６が形成される。また、サイド役物３０が遊技盤２０に配置された場合においては、突起部４５は遊技盤２０の盤面と略直交するように形成される。また、この突起部４５および傾斜部４６は、本発明における「誘導部」の一例に該当する。
【００５９】
また、サイド役物３０の近傍に内ガイドレール２１ｂが設けられていることから、サイド役物３０に設けられた一般入賞口３１ｂの近傍に内ガイドレール２１ｂが設けられていることになり、一般入賞口３１ｂの側面のうち、接触面４０は内ガイドレール２１ｂ側に面している。この内ガイドレール２１ｂは、本発明における「規制部材」または、「レール部材」の一例に該当し、接触面４０は、本発明における「規制部材側の面」の一例に該当する。
【００６０】
ここで本発明の実施形態にかかる一般入賞口３１ｂと、その他の一般入賞口３１ａ等の差異点について説明する。図７（Ａ）は、図４における破線の内部に示す一般入賞口３１ａの拡大図である。また、図７（Ｂ）は、一般入賞口から前飾りを除いた状態を示すものであり、図７（Ａ）におけるＢ´−Ｂ´断面図である。また、図７（Ｃ）は、一般入賞口の側面の状態を示すものであり、図７（Ａ）におけるＡ´−Ａ´断面図である。また、図８は、本発明の実施形態にかかる一般入賞口３１ｂの側面における作用を表すための図面である。
【００６１】
一般入賞口３１ｂと異なり、図７（Ａ）および図７（Ｂ）に示すような、一般入賞口３１ａの接触面５０には、突起部４５や傾斜部４６のような起伏が設けられていない。このように接触面５０と接触面４０とが異なるのは、内ガイドレール２１ｂ、前飾り４２、台板３３（装飾板３３ｂ）および一般入賞口３１ｂの接触面４０によって形成される遊技球の通過領域が、他の遊技球通過領域と比較して狭くなっていることによる。
【００６２】
すなわち、背景技術の項で述べたように、遊技領域Ｔをほぼ同時に流下してきた２個以上の遊技球が、内ガイドレール２１ｂ、前飾り４２、台板３３（装飾板３３ｂ）および一般入賞口３１ｂの接触面４０から形成される遊技球の通過領域を通過しようとした場合において、当該遊技球の通過領域が狭くなっていると、球詰まりが生じるおそれがあり、それを解消する必要があることによる。例えば、図８に示すように当該２個以上の遊技球の一方が前飾り４２の方向に、他方が台板３３の前面方向に流下してしまった場合、これらの遊技球は、遊技盤２０の盤面と略直交する方向に並んでしまい、球詰まりが生じうる状況となる。
【００６３】
この点、図７（Ｃ）のＡ´−Ａ´断面図に示す一般入賞口３１ａの接触面５０においては、台板３３、前飾り５２および接触面５０と上記２個以上の遊技球とが接触しうる面が広く、この構成の一般入賞口を、比較的内ガイドレール２１ｂに近い一般入賞口３１ｂの位置に配置したならば、球詰まりを生じるおそれがある。
【００６４】
これに対し、図６（Ｃ）のＡ−Ａ断面図に示す一般入賞口３１ｂの接触面４０においては、突起部４５および傾斜部４６を設けており、２個以上の遊技球がほぼ同時に遊技球の通過領域を通過しようとした場合でも、図８に示すように当該遊技球の一方（前飾り４２側の遊技球）を、遊技盤の盤面方向かつ筒体４３の中心線Ｃの方向（図８のＸ方向）に転動（回動）させ、遊技盤２０の盤面と略直交する方向に並んでしまった２個以上の遊技球の支点を失わせて流下させることができる。結果として、装飾部材の小型化や、一般入賞口の設置に必要な台板３３の除去をともなわずに球詰まりが生じる事態を解消することが可能となる。
【００６５】
なお、図６（Ｃ）に示すように、一般入賞口３１ｂの接触面４０は、突起部４５および傾斜部４６を設けており、この突起部４５は、筒体４３の中心線Ｃからの距離が筒体４３の基部側より長くなるように形成されているが、これを内ガイドレール２１ｂ側から接触面４０の距離として捉えると、突起部４５から内ガイドレール２１ｂまでの距離より、筒体４３の基部側から内ガイドレール２１ｂまでの距離の方が長いことになる。
【００６６】
また、一般入賞口３５ａ・３５ｂについては一般入賞口３１ａと左右対称の形状であり、その他の構成において異なるところはない。また、遊技領域Ｔの右下側に配置されるサイド役物３４についても、図３〜５に示した遊技領域Ｔの左下側に配置される上記サイド役物３０と左右対称の形状であり、その他の構成において異なるところはない。したがって、これらの詳細な説明については割愛する。また、本発明の実施形態に係るパチンコ機１においては、一般入賞口３１ｂにのみ本発明の構成が適用されている。
【００６７】
（始動入賞装置）
始動入賞装置２７には、アクチュエータ（図示せず）の作動により開閉動作を行う開閉羽根２７ａ・２７ｂが設けられている。この開閉羽根２７ａ・２７ｂは、通常、対向するような位置にあり、開閉羽根２７ａ・２７ｂが当該位置にある場合、開閉羽根２７ａと２７ｂとの間隔は、遊技球が少なくとも１個通過可能とするように形成されている。
【００６８】
また、開閉羽根２７ａ・２７ｂの下端は、始動入賞装置２７を遊技盤に取り付けるための取付板に軸支されており、前述の普通図柄ゲームに当選すると、開閉羽根２７ａはアクチュエータにより左方向に回動するとともに、開閉羽根２７ｂはアクチュエータにより右方向に回動する。すなわち開閉羽根２７ａと２７ｂとの間隔が広がる。さらに、当該開閉羽根２７ａと２７ｂとの間の下端から後方に向かって形成された遊技球通過経路（図示せず）が形成されている。
【００６９】
また、遊技球が始動入賞装置２７における開閉羽根２７ａと２７ｂとの間を通過して、始動入賞装置に入賞すると、遊技球通過経路を通ってパチンコ機１の内部に回収される。この回収された遊技球は、遊技球通過経路のさらに後方に配置された始動装置センサ（図示せず）によって検出される。このようにして始動装置センサが検遊技球を検出すると、入賞状態となり、図柄変動ゲームの始動条件を付与する。
【００７０】
ここで図柄変動ゲームの概略について説明する。可変表示装置２３には、例えば３つの図柄が横並びに表示される。これら各図柄は、「０」〜「９」の１０種類の数字図柄で構成されている。可変表示装置２３は、図柄変動ゲームの始動条件を満たしていない、つまり始動入賞装置２７に入賞していないときは、この図柄を各図柄ごとに停止した状態で表示させている。また、始動装置センサが遊技球を検出すると、各図柄を上下方向にスクロールさせて変動表示を行う。なお、特別図柄の変動表示は、本発明の「図柄変動ゲーム」に相当する。なお、可変表示装置２３で表示する図柄は、数字に限るものではなく、アルファベットや記号、キャラクタ図柄等でもよい。
【００７１】
また、可変表示装置２３は、変動表示すなわち図柄をスクロールさせてから所定時間後に、スクロールを停止させ、所定の図柄が停止した状態で表示される。例えば、可変表示装置２３の左方に表示される図柄、右方に表示される図柄、中央に表示される図柄の順で、スクロールが停止するように表示する。
【００７２】
ここで、遊技者は、可変表示装置２３に表示された停止された状態で表示された左・右・中央の図柄の組み合わせから特定遊技状態（大当り状態）、リーチ状態又はハズレ状態のいずれかの状態を認識することができる。例えば、停止された状態で表示された左・右・中央の全列の図柄の全部が同一の図柄を表示した場合には、特別遊技状態となり、後述する変動入賞装置２８が遊技者に有利な状態となり、遊技球が入賞可能となる。また、左・右・中央の図柄のうちいずれか２列が停止された状態で同一の図柄を表示している場合は、その図柄の組み合わせからリーチ状態を認識することができる。また、左・右・中央の図柄の全列が停止された状態のときに、全列の図柄が同一とならない場合は、ハズレ状態を認識することができる。
【００７３】
（変動入賞装置）
変動入賞装置２８は、遊技盤２０に形成された取付孔に嵌合するように設置される。その際、変動入賞装置２８の前方において台板２８ａにより、螺子等で取り付けられる。この台板２８ａは、遊技盤２０の前面に固定される。また、台板２８ａ前面中央には、遊技球を取り込み可能とする箱枠に設けられた遊技球入賞口（図示せず）を臨むように形成された開口部２８ｂが設けられている。この開口部２８ｂおよび遊技球入賞口は、遊技球を少なくとも１個通過可能な大きさを有するように形成される。
【００７４】
箱枠には、開口部２８ｂおよび遊技球入賞口を開放または閉鎖する開閉扉２８ｃが設けられている。開閉扉２８ｃは、その左右下端に設けられた回動軸を箱枠の遊技球入賞口の左右下端に軸支され、ソレノイドにより前後方向に回動する。
【００７５】
すなわち、上記図柄変動ゲームの結果、パチンコ機１が特別遊技状態となると、後述する制御により、ソレノイドを励磁させて開閉扉２８ｃを開放して、遊技者に有利な状態を形成する。特別遊技状態が終了すると、ソレノイドを消磁させて開閉扉２８ｃを閉鎖状態とする。なお、本実施形態におけるパチンコ機１の遊技盤２０を示す図２においては、開閉扉２８ｃは、開放状態となっている。
【００７６】
ソレノイドが励磁し、開閉扉２８ｃが開放している際に、開口部２８ｂおよび遊技球入賞口を通過して箱枠に入賞した遊技球は、箱枠内部に設けられたカウントスイッチに検知される。カウントスイッチが遊技球を検知すると、１回（１個）の入賞につき、例えば、賞球として１５個の遊技球が上球皿１４に払い出される。
【００７７】
［パチンコ機の制御］
次に、図９を用いて本実施形態にかかるパチンコ機１の制御の概略について説明する。図９は、本発明の実施形態にかかるパチンコ機１の制御機構を示す概略図である。
【００７８】
パチンコ機１は主制御基板６０と、副制御基板７０を備えている。主制御基板６０は、ＣＰＵ（Ｃｅｎｔｒａｌ  Ｐｒｏｃｅｓｓｉｎｇ  Ｕｎｉｔ）６１、ＲＡＭ（Ｒａｎｄｏｍ  Ａｃｃｅｓｓ  Ｍｅｍｏｒｙ）６２、ＲＯＭ（Ｒｅａｄ  Ｏｎｌｙ  Ｍｅｍｏｒｙ）６３を備えて構成される。また、副制御基板７０はサブＣＰＵ７１、ＲＡＭ７２、ＲＯＭ７３を備えて構成される。ＲＯＭ６３・７３には、パチンコ機１に必要な制御プログラムが記憶されており、この制御プログラムをメインＣＰＵ６１またはサブＣＰＵ７１がＲＡＭ６２またはＲＡＭ７２上に展開することにより、各種制御および処理を行うようになっている。主制御基板６０は、始動入賞装置２７・変動入賞装置２８の検出センサ・アクチュエータ、ソレノイドや、副制御基板７０の制御を行う。副制御基板７０では、可変表示装置２３に対して表示制御を行い、スピーカ１７に対して音声制御を行い、また、装飾ランプ１５やＬＥＤ基板３８に対してもランプ制御を行うなど、パチンコ機１の各装置に対する各種制御を行う。
【００７９】
例えば、発射装置１８によって遊技盤２０の遊技領域Ｔに打ち込まれた遊技球が一般入賞口３１ｂの開口部から遊技球通過経路を通過して内部の遊技球検出センサで検出されると、検出信号が送信され、主制御基板６０が副制御基板７０を制御する。このとき副制御基板７０は、例えばランプ制御によりサイド役物３０のＬＥＤ基板３８によってＬＥＤ３８ａを点灯させる。また、賞球として例えば１０個の遊技球を上球皿１４に払い出させる。
【００８０】
［作用効果］
以上説明した本実施形態にかかるパチンコ機の作用及び効果について説明する。
【００８１】
本発明の実施形態にかかるパチンコ機は、遊技盤前面に設けられた台板から前方に立設するとともに、内ガイドレールに近接する一般入賞口の側面のうち、内ガイドレール側の接触面には、前飾り方向かつ中心線から離れる方向に傾斜する傾斜部と、突起部が形成されており、当該接触面のうち前飾り側は一般入賞口の中心線からの間隔が広くなるように形成されている。
【００８２】
したがって、２個以上の遊技球が一般入賞口周辺の遊技球の流通経路を同時に通過しようとして、遊技盤の盤面と略直交する方向に並んでしまい、球詰まりを生じさせるおそれのある遊技球の一方を、図８のように遊技盤の盤面(台板)方向かつ当該中心線の方向(図８のX方向)に回動させ、２個以上の遊技球の支点を失わせて流下させることができる。結果として、装飾部材の小型化や、一般入賞口の設置に必要な台板の除去をともなわずに球詰まりが生じる事態を解消することが可能となる。
【００８３】
次に、上記実施形態から把握できる技術的思想について以下に追記する。
【００８４】
（イ）前記突出部の側面のうち前記規制部材側の面は、前記透明部材側において前記中心線から離れた方向へ傾斜するように形成されていること、を特徴とする請求項２に記載の遊技機。
（ロ）前記規制部材は、遊技釘または前記遊技盤の前記遊技領域の略中央に配置されるセンター役物であること、を特徴とする請求項１〜７のいずれかに記載の遊技機。
（ハ）前記鍔部は、前記入賞装置を装飾する装飾部材の一部であること、
を特徴とする請求項６〜９のいずれかに記載の遊技機。
【００８５】
［変形例］
次に、本発明にかかるパチンコ機の変形例について説明する。
【００８６】
以上において説明したパチンコ機１の構成は、本発明を好適に実施するための一構成例に過ぎないものである。したがって、本発明の要旨の範囲内における任意の変形を適宜施すことが可能である。
【００８７】
以上に説明した本発明の実施形態にかかるパチンコ機１では、一般入賞口３１ｂにおける筒体４３の側面のうち、接触面４０について突起部４５および傾斜部４６を設けて構成形成されているが、本発明はこれに限定されず、例えば、接触面４０を台板３３に対して傾斜させるように構成してもよい。その傾斜は筒体４３の基部側から前飾り側に向かって中心線から遠ざかるように形成してもよく、また、筒体４３の基部側から前飾り側に向かって中心線に近づくように形成してもよい。以上の変形例においても、以上に説明した本発明の実施形態のパチンコ機１にかかる一般入賞口３１ｂにおける筒体４３の接触面４０と同様に、遊技盤２０の盤面と略直交する方向に並んでしまった２個以上の遊技球の支点を失わせて流下させることができ、結果として、装飾部材の小型化や、一般入賞口の設置に必要な台板３３の除去をともなわずに球詰まりが生じる事態を解消することが可能となる。
【００８８】
また、以上に説明した本発明の実施形態にかかるパチンコ機１では、一般入賞口３１ａ、３１ｂ、３５ａ、３５ｂのうち、一般入賞口３１ｂのみが、接触面４０に突起部４５および傾斜部４６を形成するように構成されているが、本発明はこれに限定されず、例えば、一般入賞口３１ａ、３５ａ、３５ｂにおいても筒体の側面に突起部や傾斜部を形成するように構成してもよい。この変形例の場合、他の一般入賞口の近傍に形成される遊技球通過領域が狭小となったとしても、装飾部材の小型化や一般入賞口の設置に必要な台板３３の除去をともなわずに、その遊技球通過領域における球詰まりが生じる事態を解消することが可能となる。
【００８９】
また、以上に説明した本発明の実施形態にかかるパチンコ機１では、一般入賞口３１ｂのみが、接触面４０に突起部４５および傾斜部４６を形成するように構成されているが、本発明はこれに限定されず、例えば、センター役物またはその他遊技部材においても、その側面に突起部や傾斜部を形成するように構成してもよい。センター役物またはその他遊技部材に本発明を適用した場合、本発明における「規制部材」としては、通過ゲート、外ガイドレール、サイドランプ、連続して配設した遊技釘が該当する。また、本発明を適用しうる遊技部材としてセンター役物の他には、例えば始動入賞装置、通過ゲートなどが挙げられる。
【００９０】
この変形例の場合、センター役物またはその他遊技部材の近傍に形成される遊技球通過領域が狭小となったとしても、装飾部材の小型化や、設置に必要な部材の除去をともなわずに、その遊技球通過領域における球詰まりが生じる事態を解消することが可能となる。
【００９１】
なお、以上において説明した実施の形態は、本発明の理解を容易にするために記載されたものであって、本発明を限定するために記載されたものではない。また、上記の実施の形態に開示された各要素は、本発明の技術的範囲に属する任意の設計変更や均等物をも含む趣旨である。
【図面の簡単な説明】
【００９２】
【図１】本発明の実施形態にかかるパチンコ機の概略正面図である。
【図２】本発明の実施形態にかかるパチンコ機の遊技盤の概略正面図である。
【図３】本実施形態にかかるパチンコ機の遊技領域の左下側に設けられたサイド役物の斜視図である。
【図４】本実施形態にかかるパチンコ機の遊技領域の左下側に設けられたサイド役物の左側面図である。
【図５】本実施形態にかかるパチンコ機の遊技領域の左下側に設けられたサイド役物の背面図の概略である。
【図６】（Ａ）図４における１点鎖線の内部に示す本発明の実施形態にかかる一般入賞口の左側面の拡大図である。  （Ｂ）本発明の実施形態にかかる一般入賞口から前飾りを除いた状態を示すものであり、図６（Ａ）におけるＢ−Ｂ断面図である。  （Ｃ）本発明の実施形態にかかる一般入賞口の側面の状態を示すものであり、図６（Ａ）におけるＡ−Ａ断面図である。
【図７】（Ａ）図４における破線の内部に示す本発明の実施形態にかかる一般入賞口の拡大図である。  （Ｂ）本発明の実施形態にかかる一般入賞口から前飾りを除いた状態を示すものであり、図７（Ａ）におけるＢ´−Ｂ´断面図である。  （Ｃ）本発明の実施形態にかかる一般入賞口の側面の状態を示すものであり、図７（Ａ）におけるＡ´−Ａ´断面図である。
【図８】本発明の実施形態にかかる一般入賞口の側面における作用を表すための図面である。
【図９】本発明の実施形態にかかるパチンコ機の制御機構を示す概略図である。
【符号の説明】
【００９３】
１  パチンコ機
１０  外枠
１１  ヒンジ
１２  中枠
１３  前枠
１４  上球皿
１５  装飾ランプ
１６  下球皿
１７  スピーカ
１８  発射装置
２０  遊技盤
２１ａ  外ガイドレール
２１ｂ  内ガイドレール
２２  遊技球誘導路
２３  可変表示装置
２５  センター役物
２７  始動入賞装置
２７ａ  開閉羽根
２８  変動入賞装置
２８ａ  台板
２８ｂ  開口部
２８ｃ  開閉扉
３０  サイド役物
３１ｂ  一般入賞口
３２  サイドランプ
３３  台板
３３ａ  支持部
３３ｂ  装飾板
３３ｃ  当接面
３８  ＬＥＤ基板
３８ａ  ＬＥＤ
３８ｂ  基板支持部
３９  ＬＥＤ基板カバー
４０  接触面
４２  前飾り
４３  筒体
４５  突起部
４６  傾斜部
６０  主制御基板
６１  メインＣＰＵ
６２  ＲＡＭ
６３  ＲＯＭ
７０  副制御基板
７１  サブＣＰＵ
Ｃ  中心線
Ｔ  遊技領域
【図１】
2008029600.tif 000003
【図２】
2008029600.tif 000004
【図３】
2008029600.tif 000005
【図４】
2008029600.tif 000006
【図５】
2008029600.tif 000007
【図６】
2008029600.tif 000008
【図７】
2008029600.tif 000009
【図８】
2008029600.tif 000010
【図９】
2008029600.tif 000011